(57)【要約】【課題】適応システムパラメータによるスケーラブルデジタル通信のためのシステム及び方法。【解決手段】適応デバイスを動作させる方法は、第１通信デバイスと第２通信デバイスとの間の第１伝送のための複数のアクセスモードの中から第１アクセスモードを選択するステップ（ブロック６２０）であって、前記第１アクセスモードの選択は、アクセスモード判定基準、及び、通信システム情報とユーザ装置情報の少なくとも１つに従ってなされる、ステップと、ＳＣＭＡパラメータ・マッピングルールに従って、前記第１アクセスモードからＳＣＭＡパラメータを決定するステップ（ブロック６２２）を含む。前記方法は、前記第１アクセスモードに関する情報を、前記第１通信デバイスと前記第２通信デバイスの少なくとも１つへ提供するステップ（ブロック６２５）も含む。【選択図】図６ａ
2018011354.tif 000002
【特許請求の範囲】
【請求項１】
適応デバイスを動作させる方法であって、前記方法は、
前記適応デバイスにより、第１通信デバイスと第２通信デバイスとの間の第１伝送のための複数のアクセスモードの中から第１アクセスモードを選択するステップであって、前記第１アクセスモードの選択は、アクセスモード判定基準、及び、通信システム情報とユーザ装置情報の少なくとも１つに従ってなされる、ステップと、
前記適応デバイスにより、ＳＣＭＡパラメータ・マッピングルールに従って、前記第１アクセスモードからＳＣＭＡ（sparse code multiple access）パラメータを決定するステップと、
前記適応デバイスにより、前記第１通信デバイスと前記第２通信デバイスの少なくとも１つに、前記第１アクセスモードに関する情報を提供するステップと、
を具備することを特徴とする適応デバイスを動作させる方法。
【請求項２】
前記通信システム情報は、通信システム能力と通信システム要求の少なくとも１つを具備することを特徴とする請求項１に記載の方法。
【請求項３】
前記ユーザ装置情報は、ユーザ装置能力とユーザ装置要求の少なくとも１つを具備することを特徴とする請求項１に記載の方法。
【請求項４】
前記ＳＣＭＡパラメータは、Ｍ、Ｋ、Ｊ、Ｎ、ｌ、λ、ｄｆの少なくとも１つを具備し、
Ｍは、ＳＣＭＡコードブックにおける符号語の数であり、Ｋは、拡散因子であり、Ｊは、レイヤの最大数であり、Ｎは、ＳＣＭＡコードブックの各符号語における非ゼロ要素の数であり、ｌは、任意の２つの異なるコードブックの重複要素の数であり、λは、過負荷因子であり、ｄｆは、トーンで衝突する符号語の最大数であることを特徴とする請求項１に記載の方法。
【請求項５】
前記ＳＣＭＡパラメータ・マッピングルールは、前記第１アクセスモードと前記ＳＣＭＡパラメータの値との間の関係を定義することを特徴とする請求項１に記載の方法。
【請求項６】
前記ＳＣＭＡパラメータ・マッピングルールは、予め定められているとともに前記適応デバイス内に格納されていることを特徴とする請求項１に記載の方法。
【請求項７】
前記アクセスモード判定基準は、通信システムスペクトル効率、通信システム有効範囲、通信システム検出複雑性、通信システム接続性、通信システムリンクバジェットの少なくとも１つを具備することを特徴とする請求項１に記載の方法。
【請求項８】
前記第１伝送は、アップリンク伝送とダウンリンク伝送の内の１つを具備することを特徴とする請求項１に記載の方法。
【請求項９】
前記第１伝送は、アップリンク伝送とダウンリンク伝送を具備し、
前記第１アクセスモードを選択するステップは、
前記アップリンク伝送のための第２アクセスモードを選択するステップと、
前記ダウンリンク伝送のための第３アクセスモードを選択するステップと、
を具備することを特徴とする請求項１に記載の方法。
【請求項１０】
前記第１伝送と少なくとも１つのネットワークリソースを共有している第２伝送に関連する第４アクセスモードに従って、前記第１アクセスモードを選択するステップをさらに具備し、
前記第１アクセスモードは、前記第１アクセスモードが前記第４アクセスモードとコンフリクトしないように選択されることを特徴とする請求項１に記載の方法。
【請求項１１】
前記第１アクセスモードに関する情報を提供する前記ステップは、前記第１アクセスモードのインジケータを送信するステップを具備することを特徴とする請求項１に記載の方法。
【請求項１２】
前記インジケータは、準静的メッセージングと動的メッセージングの１つを使用して送信されることを特徴とする請求項１１に記載の方法。
【請求項１３】
第１デバイスを動作させる方法であって、前記方法は、
前記第１デバイスにより、ユーザ装置情報を第２デバイスへ送信するステップであって、前記ユーザ装置情報は、ユーザ装置要求とユーザ装置能力の少なくとも１つを具備する、ステップと、
前記第１デバイスにより、第１デバイスと第３デバイスとの間の伝送のためのアクセスモードに関連するＳＣＭＡ（sparse code multiple access）パラメータに関する情報を受信するステップであって、前記アクセスモードは、アクセスモード判定基準及び、前記ユーザ装置情報と通信システム情報の少なくとも一つに従って、複数のアクセスモードの中から選択される、ステップと、
前記第１デバイスにより、前記アクセスモードに従って、前記第３デバイスと通信するステップと、
を具備することを特徴とする第１デバイスを動作させる方法。
【請求項１４】
前記ＳＣＭＡパラメータは、ＳＣＭＡパラメータ・マッピングルールにより、前記アクセスモードと関連付けられていることを特徴とする請求項１３に記載の方法。
【請求項１５】
前記第１デバイスは、ユーザ装置を含むことを特徴とする請求項１３に記載の方法。
【請求項１６】
前記第２デバイスは、発展型ＮｏｄｅＢを含み、前記第３デバイスは、前記発展型ＮｏｄｅＢを含むことを特徴とする請求項１３に記載の方法。
【請求項１７】
前記第２デバイスは、適応デバイスを含み、前記第３デバイスは、発展型ＮｏｄｅＢを含むことを特徴とする請求項１３に記載の方法。
【請求項１８】
適応デバイスであって、
第１通信デバイスと第２通信デバイスとの間の第１伝送のための複数のアクセスモードの中から第１アクセスモードを選択し、前記第１アクセスモードの選択は、アクセスモード判定基準、及び、通信システム情報とユーザ装置情報の少なくとも１つに従ってなされ、ＳＣＭＡパラメータ・マッピングルールに従って、前記第１アクセスモードからＳＣＭＡ（sparse code multiple access）パラメータを決定し、前記第１通信デバイス及び前記第２通信デバイスの少なくとも１つへ、前記第１アクセスモードに関する情報を提供するように構成されたプロセッサ
を具備することを特徴とする適応デバイス。
【請求項１９】
前記プロセッサと動作可能に結合されているレシーバをさらに具備し、前記レシーバは、前記ユーザ装置情報を受信するように構成されていることを特徴とする請求項１８に記載の適応デバイス。
【請求項２０】
前記ＳＣＭＡパラメータは、Ｍ、Ｋ、Ｊ、Ｎ、ｌ、λ、ｄｆの少なくとも１つを具備し、
Ｍは、ＳＣＭＡコードブックにおける符号語の数であり、Ｋは、拡散因子であり、Ｊは、レイヤの最大数であり、Ｎは、ＳＣＭＡコードブックの各符号語における非ゼロ要素の数であり、ｌは、任意の２つの異なるコードブックの重複要素の数であり、λは、過負荷因子であり、ｄｆは、トーンで衝突する符号語の最大数であることを特徴とする請求項１８に記載の適応デバイス。
【請求項２１】
前記プロセッサに動作可能に結合されているトランスミッタをさらに具備し、前記トランスミッタは、前記第１アクセスモードのインジケータを送信するように構成されていることを特徴とする請求項１８に記載の適応デバイス。
【請求項２２】
前記第１伝送は、アップリンク伝送とダウンリンク伝送を具備し、前記プロセッサは、前記アップリンク伝送のための第２アクセスモードを選択し、前記ダウンリンク伝送のための第３アクセスモードを選択するように構成されていることを特徴とする請求項１８に記載の適応デバイス。
【請求項２３】
前記プロセッサは、前記第１伝送と少なくとも１つのネットワークリソースを共有している第２伝送に関連する第４アクセスモードに従って前記第１アクセスモードを選択するように構成されており、前記第１アクセスモードは、前記第１アクセスモードが前記第４アクセスモードとコンフリクトしないように選択されることを特徴とする請求項１８に記載の適応デバイス。
【請求項２４】
ユーザ装置であって、
ユーザ装置情報を第１通信デバイスへ送信するように構成されているトランスミッタであって、前記ユーザ装置情報は、ユーザ装置要求とユーザ装置能力の少なくとも１つを具備する、トランスミッタと、
前記ユーザ装置と第２通信デバイスとの間の伝送のためのアクセスモードに関連するＳＣＭＡ（sparse code multiple access）パラメータに関する情報を受信するように構成されたレシーバであって、前記アクセスモードは、アクセスモード判定基準、及び、前記ユーザ装置情報と通信システム情報の少なくとも１つに従って、複数のアクセスモードの中から選択される、レシーバと、
前記トランスミッタ及び前記レシーバと動作可能に結合されているプロセッサと、
を具備し、
前記プロセッサは、前記アクセスモードに従って、前記第２通信デバイスと通信するように構成されていることを特徴とするユーザ装置。
【請求項２５】
前記ＳＣＭＡパラメータは、ＳＣＭＡパラメータ・マッピングルールにより、前記アクセスモードと関連づけられていることを特徴とする請求項２４に記載のユーザ装置。
【請求項２６】
前記第１通信デバイスは、発展型ＮｏｄｅＢを含み、前記第２通信デバイスは、前記発展型ＮｏｄｅＢを含むことを特徴とする請求項２４に記載のユーザ装置。
【請求項２７】
前記第１通信デバイスは、適応デバイスを含み、前記第２通信デバイスは、発展型ＮｏｄｅＢを含むことを特徴とする請求項２４に記載のユーザ装置。
【発明の詳細な説明】
【技術分野】
【０００１】
本出願は、2013年8月7日に出願された「System and Method for Scalable Sparse Code Multiple Access with Adaptive System Parameters」と題する米国仮出願第61/863,213号の優先権の利益を主張し、それは、その全体の内容が参照により本明細書に組み込まれる。
【０００２】
本発明は、一般にデジタル通信に関連し、特に、適応システムパラメータによるスケーラブルデジタル通信のためのシステム及び方法に関する。
【背景技術】
【０００３】
異なる無線アクセス技術が異なる目的又は異なる用途で存在する。しかし、同じ傘の下に入り、特定の状況の要求によりそれらを切り替えるような普遍的なフレームワークや機構はない。これらの技術は、ＳＣＭＡ（sparse code multiple access）、直交周波数分割多重方式（ＯＦＤＭ）などの多重搬送波変調、ダウンリンク（ＤＬ）ユーザ重畳（superposition）、非直交多元接続（non-orthogonal multiple access、ＮＯＭＡ）、符号分割多元接続（ＣＤＭＡ）、アップリンク（ＵＬ）マルチユーザＭＩＭＯ（uplink multi-user multiple-input multiple-output、ＭＵ−ＭＩＭＯ）、ＬＤＳ（low density signature）を含む。
【発明の概要】
【課題を解決するための手段】
【０００４】
適応システムパラメータによるスケーラブルデジタル通信のためのシステム及び方法を提供する本発明の例示的な実施形態。
【０００５】
本開示の例示的な実施形態によれば、適応デバイスを動作させる方法が提供される。前記方法は、適応デバイスにより、第１通信デバイスと第２通信デバイスとの間の第１伝送のための複数のアクセスモードの中から第１アクセスモードを選択するステップを含み、前記第１アクセスモードの選択は、アクセスモード判定基準、及び、通信システム情報とユーザ装置情報の少なくとも１つに従ってなされる。前記方法は、適応デバイスにより、ＳＣＭＡパラメータ・マッピングルールに従って、第１アクセスモードから、ＳＣＭＡ（sparse code multiple access）パラメータを決定するステップと、適応デバイスにより、第１通信デバイスと第２通信デバイスの少なくとも１つに、第１アクセスモードに関する情報を提供するステップも含む。
【０００６】
本開示の他の例示的な実施形態によれば、第１デバイスを動作させるための方法が提供される。前記方法は、第１デバイスにより、ユーザ装置情報を第２デバイスへ送信するステップであって、前記ユーザ装置情報は、ユーザ装置要求（requirements）とユーザ装置能力（capabilities）の少なくとも１つを具備する、ステップと、第１デバイスにより、第１デバイスと第３デバイスとの間の伝送のためのアクセスモードに関連するＳＣＭＡ（sparse code multiple access）パラメータに関する情報を受信するステップであって、前記アクセスモードは、アクセスモード判定基準、及び、ユーザ装置情報と通信システム情報の少なくとも１つに従って、複数のアクセスモードの中から選択される、ステップとを含む。前記方法は、第１デバイスにより、アクセスモードに従って、第３デバイスと通信するステップも含む。
【０００７】
本開示の他の例示的な実施形態によれば、適応デバイスが提供される。適応デバイスは、プロセッサを含んでいる。前記プロセッサは、第１通信デバイスと第２通信デバイスとの間の第１伝送のための複数のアクセスモードの中から第１アクセスモードを選択し、前記第１アクセスモードの選択は、アクセスモード判定基準、及び、通信システム情報とユーザ装置情報の少なくとも１つに従ってなされる。プロセッサは、ＳＣＭＡパラメータ・マッピングルールに従って、第１アクセスモードからＳＣＭＡ（sparse code multiple access）パラメータも決定し、第１通信デバイスと第２通信デバイスの少なくとも１つへ、第１アクセスモードに関する情報を提供する。
【０００８】
本開示の他の例示的な実施形態によれば、ユーザ装置が提供される。ユーザ装置は、トランスミッタ、レシーバ、及び前記トランスミッタと前記レシーバに動作可能に結合されたプロセッサとを含む。トランスミッタは、ユーザ装置情報を第１通信デバイスへ送信し、ユーザ装置情報は、ユーザ装置要求とユーザ装置能力の少なくとも１つを含む。レシーバは、ユーザ装置と第２通信デバイスとの間のためのアクセスモードに関連するＳＣＭＡ（sparse code multiple access）パラメータに関する情報を受信し、前記アクセスモードは、アクセスモード判定基準、及び、ユーザ装置情報と通信システム情報の少なくとも１つに従って、複数のアクセスモードの中から選択される。プロセッサは、前記アクセスモードに従って第２通信デバイスと通信する。
【０００９】
実施形態の１つの利点は、アクセスモードは、通信システム及びＵＥの要求及び／又は能力だけでなくアクセスモード判定基準に適合するように適用され得ることである。
【００１０】
本開示のより完全な理解及びその利点のために、参照が添付の図面と併せて以下に説明される。
【図面の簡単な説明】
【００１１】
【図１】図１は、本明細書に説明されている例示の実施形態による例示的な通信システムを図示している。
【図２】図２は、本明細書に説明されている例示の実施形態による例示的なデータ符号化のためのＳＣＭＡ多重化スキームを図示している。
【図３ａ】図３ａは、本明細書に説明されている例示の実施形態による複雑性、多重化、スペクトル効率、及びリンクバジェットのトレードオフを強調したＳＣＭＡシステムパラメータのプロット例を図示している。
【図３ｂ】図３ｂは、本明細書に説明されている例示の実施形態による複雑性、多重化、スペクトル効率、及びリンクバジェットのトレードオフを強調したＳＣＭＡシステムパラメータのプロット例を図示している。
【図４ａ】図４ａは、本明細書に説明されている例示の実施形態による、過負荷がキャップされ複雑性を制御する場合の、複雑性、多重化、スペクトル効率、及びリンクバジェットのトレードオフを強調したＳＣＭＡシステムパラメータのプロット例を図示している。
【図４ｂ】図４ｂは、本明細書に説明されている例示の実施形態による、過負荷がキャップされ複雑性を制御する場合の、複雑性、多重化、スペクトル効率、及びリンクバジェットのトレードオフを強調したＳＣＭＡシステムパラメータのプロット例を図示している。
【図４ｃ】図４ｃは、本明細書に説明されている例示の実施形態による、過負荷がキャップされ複雑性を制御する場合の、複雑性、多重化、スペクトル効率、及びリンクバジェットのトレードオフを強調したＳＣＭＡシステムパラメータのプロット例を図示している。
【図５】図５は、本明細書に説明されている例示の実施形態による、例示的な適応デバイスの上位レベルの考え方の例を図示している。
【図６ａ】図６ａは、本明細書に説明されている例示の実施形態による、通信システム（又はそれらの一部）のアクセスモードを適応的に調整する適応デバイスのような適応デバイスにおいて生じている動作例の例示的なフローチャートを示している。
【図６ｂ】図６ｂは、本明細書に説明されている例示の実施形態によりＵＥが通信するようなＵＥにおいて生じている動作例の例示的なフローチャートを示している。
【図７】図７は、本明細書に説明されている例示の実施形態によるダウンリンクアクセスモードを選択するための例示的なグラフィカルマッピングルールを示している。
【図８】図８は、本明細書に説明されている例示の実施形態によるアップリンクアクセスモードを選択するための例示的なグラフィカルマッピングルールを示している。
【図９】図９は、本明細書に説明されている例示の実施形態による例示的な通信デバイスを図示している。
【図１０】図１０は、本明細書に説明されている例示の実施形態による例示的な通信デバイスを図示している。
【発明を実施するための形態】
【００１２】
現在の例示的な実施形態の動作及び構造が以下に詳細に説明される。本開示は、多種多様な場面において具体化され得る多くの適用可能な発明概念を提供することを理解すべきである。説明される具体的な実施形態は、開示の特定の構造及び開示の動作方法の単なる例示であり、本開示の範囲を限定するものではない。
【００１３】
本開示の一実施形態は、適応システムパラメータを用いたスケーラブルデジタル通信に関する。例えば、適応デバイスは、通信コントローラとユーザ装置の間の第１通信チャネルのためのアクセスモード判定基準を受信し、アクセスモード判定基準に合致するように、マッピングルールのセットに従って、第１アクセスモードを選択し、第１アクセスモードに関する情報を、通信コントローラとユーザ装置に提供する。
【００１４】
本開示は、特定の状況における、すなわち異なるアクセスモード判定基準について、その無線アクセスモードを適応的に調整するＳＣＭＡ通信システムの例示的な実施形態に関して説明する。本開示は、規格に準拠した通信システム、及び異なるアクセスモード判定基準のために、その無線アクセスモードを適応的に調整する標準外の準拠通信システムに適用され得る。
【００１５】
ＳＣＭＡにおいて、データは、多次元符号語を通じてＯＦＤＭＡリソースの多数時間周波数トーンにわたり広がっている。符号語の疎性（スパース性、スパーシチ、sparsity）は、メッセージ・パッシング・アルゴリズム（ＭＰＡ）を使用することにより、多重化ＳＣＭＡレイヤの結合検出（joint detection）の複雑性（complexity）を減少させるのに役立つ。一般に、ＳＣＭＡの各レイヤは、その特定のコードブックセットを有している。低密度拡散（ＬＤＳ）は、ＳＣＭＡの特別な場合である。マルチキャリアＣＤＭＡ（ＭＣ−ＣＤＭＡ）の形態としてＬＤＳは、異なるデータのレイヤを多重化するために使用される。多次元符号語を使用するＳＣＭＡと反対に、ＬＤＳは、時間又は周波数におけるレイヤ特定の非ゼロ位置上で同じ（ＱＡＭ）シンボルの繰り返しを使用する。一例として、ＬＤＳ直交周波数分割多重（ＬＤＳ−ＯＦＤＭ）において、配置点（constellation point）は、ＬＤＳブロックの非ゼロ周波数トーンにわたり繰り返される（いくつかの可能な位相回転で）。多次元配置のシェーピングゲインは、ＬＤＳにわたりＳＣＭＡの長所の一つである。ゲインは、より高次変調に対し潜在的に高く、ＬＤＳの過剰な符号化は、大きな損失とパフォーマンスの低下を示す。
【００１６】
ＳＣＭＡは、バイナリデータストリーム又は一般には、Ｍ−ａｒｙデータストリーム（Ｍは２以上の正数）などのデータストリームを多次元符号語に符号化する符号化技術である。ＳＣＭＡは、データストリームを多次元符号語に直接符号化し、直行振幅変調（ＱＡＭ）シンボルマッピングを回避し、従来のＣＤＭＡ（及びＬＤＳ）符号化を超える符号化ゲインを導き得る。特に、ＳＣＭＡ符号化技術は、ＱＡＭシンボルではなく多次元符号語を使用してデータストリームを搬送する。
【００１７】
加えて、ＳＣＭＡ符号化は、従来のＣＤＭＡ符号化において一般的な、異なる多重化レイヤ、例えばＬＤＳにおけるＬＤＳシグネチャなどのための異なる拡散シーケンスの使用とは対照的に、異なる多重化レイヤに対し異なるコードブックの使用を通じて多数アクセスを提供する。さらに、ＳＣＭＡ符号化は、典型的には、レシーバが、メッセージ・パッシング・アルゴリズム（ＭＰＡ）などの低い複雑性アルゴリズムを使用し、レシーバにより受信された結合された符号語からそれぞれの符号語を検出することを可能にし、それにより、レシーバにおける処理の複雑性を減少する、スパース符号語のコードブックを使用する。
【００１８】
図１は、例示的な通信システム１００を示している。通信システム１００は、ＳＣＭＡ通信をサポートする。通信システム１００は、通信コントローラとして動作する発展型ＮｏｄｅＢ（ｅＮＢ）１０５を含み得る。通信システム１００は、ＵＥ１１０、ＵＥ１１２、及びＵＥ１１４などのユーザ装置（ＵＥ）も含み得る。ｅＮＢ１０５は、ＭＩＭＯ動作を促進する複数の送信アンテナと複数の受信アンテナを含み得、シングルｅＮＢは、同時に複数のデータストリームを複数のユーザ、複数の受信アンテナを有するシングルユーザ、又はその組み合わせに送信する。同様に、ＵＥは、ＭＩＭＯ動作をサポートする複数の送信アンテナと複数の受信アンテナを含み得る。一般に、ｅＮＢは、通信コントローラ、ＮｏｄｅＢ、基地局、コントローラ、などとも称され得る。同様に、ＵＥは、移動局、携帯電話、端末、ユーザ、加入者などとも称され得る。通信システム１００は、ｅＮＢ１０５のリソースの一部を利用でき、有効範囲及び／又は通信システム１００の全体的なパフォーマンスの改善を助けるリレーノード（ＲＮ）１１８も含み得る。
【００１９】
適応デバイス１２０は、通信システム１００又はそれらの一部に対するアクセスモードを適応可能である。適応デバイス１２０は、通信システム１００又はそれらの一部の通信システムパラメータをアクセスモード判定基準に合致するように調整でき、通信システム１００におけるデバイスのためのアクセスモードを提供する。適応デバイス１２０の詳細な解説が以下で提示される。シングルのスタンドアロンデバイスとして図１において示されているが、例示的な他の実施形態において、それらは、通信システムの異なる部分をそれぞれ担う複数の適応デバイスが存在し得ることに留意。代替的に、適応デバイス１２０は、通信システム１００における他のデバイスと同じ場所に配置されてもよい。一例として、通信システム１００におけるｅＮＢのいくつか又はすべては、適応デバイスを含み得る。
【００２０】
通信システムは、多くのデバイスと通信可能な複数のｅＮＢを用いてもよいことが理解されているが、ただ一つのｅＮＢ、１つのＲＮ、適応デバイス、及び多くのＵＥが簡素化のために示されている。
【００２１】
ＳＣＭＡ−ＯＦＤＭは、拡散コードブックがスパースであるマルチキャリア変調にわたるコードドメイン多重化方式であり、それ故、検出がより単純になされ得る。拡散因子、コードブックのスパース性、及び最大ＳＣＭＡ多重化レイヤの数は、ＳＣＭＡ波形の柔軟性を示している通信システムパラメータである。
【００２２】
図２は、データ符号化のためのＳＣＭＡ多重化方式２００を示している。図２に示されているように、ＳＣＭＡ多重化方式２００は、コードブック２１０、コードブック２２０、コードブック２３０、コードブック２４０、コードブック２５０、及びコードブック２６０などの複数のコードブックを利用し得る。複数のコードブックの各コードブックは、異なる多重化レイヤに割り当てられる。各コードブックは、複数の多次元符号語（又は拡散シーケンス）を含んでいる。ＬＤＳにおいて、多次元符号語は、低密度シーケンスシグネチャ（low density sequence signature）であることに留意。より具体的には、コードブック２１０は、符号語２１１−２１４を含み、コードブック２２０は、符号語２２１−２２４を含み、コードブック２３０は、符号語２３１−２３４を含み、コードブック２４０は、符号語２４１−２４４を含み、コードブック２５０は、符号語２５１−２５４を含み、コードブック２６０は、符号語２６１−２６４を含む。
【００２３】
それぞれのコードブックの各符号語は、異なるデータ、例えば、バイナリ値にマッピングされ得る。例示的な一例として、符号語２１１、２２１、２３１、２４１、２５１、及び２６１は、バイナリ値「００」にマッピングされ、符号語２１２、２２２、２２３、２４２、２５２、及び２６２は、バイナリ値「０１」にマッピングされ、符号語２１３、２２３、２３３、２４３、２５３、及び２６３は、バイナリ値「１０」にマッピングされ、符号語２１４、２２４、２３４、２４４、２５４、及び２６４は、バイナリ値「１１」にマッピングされる。図２におけるコードブックは、それぞれ４つの符号語を有するように示されているが、一般にＳＣＭＡコードブックは、任意の数の符号語を有していてよいことに留意。一例として、ＳＣＭＡコードブックは、８符号語（例えば、バイナリ値「０００」・・・「１１１」にマッピングされる）、１６符号語（例えばバイナリ値「００００」・・・「１１１１」にマッピングされる）、又はそれ以上を有し得る。
【００２４】
図２に示されているように、異なる符号語が、多重化レイヤを通じて送信されるバイナリデータに応じて種々のコードブック２１０、２２０、２３０、２４０、２５０、及び２６０から選択される。この例において、バイナリ値「１１」が第１多重化レイヤを通じて送信されるため、符号語２１４がコードブック２１０から選択され、バイナリ値「０１」が第２多重化レイヤを通じて送信されるため、符号語２２２がコードブック２２０から選択され、バイナリ値「１０」が第３多重化レイヤを通じて送信されるため、符号語２３３がコードブック２３０から選択され、バイナリ値「０１」が第４多重化レイヤを通じて送信されるため、符号語２４２がコードブック２４０から選択され、バイナリ値「０１」が第５多重化レイヤを通じて送信されるため、符号語２５２がコードブック２５０から選択され、バイナリ値「１１」が第６多重化レイヤを通じて送信されるため、符号語２６４がコードブック２６０から選択される。符号語２１４、２２２、２３３、２４２、２５２、及び２６４は、その後、ネットワークの共有リソースを介して送信される多重化データストリーム２８０を形成するために一緒に多重化され得る。特に、符号語２１４、２２２、２３３、２４２、２５２、及び２６４は、スパース符号語であり、それゆえ、メッセージ・パッシング・アルゴリズム（ＭＰＡ）等の低複雑性アルゴリズム又はターボデコーダを使用して多重化データストリーム２８０の受信時に識別することができる。
【００２５】
例示的な一実施形態によると、通信システムパラメータにより、通信システム（または、通信システムの一部）のアクセスモードの少なくとも一部が指定される。通信システムパラメータは、特定の値に設定されると、通信システムがＵＥとその範囲内でどのように通信するかを決定し得る。例示的な一例として、ＳＣＭＡ通信システムにおけるアクセスモードは、通信システムパラメータの数により指定され得、以下を含む。
【００２６】
Ｍ  −  ＳＣＭＡコードブックにおける符号語の数
Ｋ  −  拡散因子
Ｊ  −  レイヤ（又はコードブック及び／又はシグネチャ）の最大数。シグネチャの数は、アップリンクなどのようにシグネチャの再利用が許可されている場合には、この値を超過し得ることに留意。
Ｎ  −  各符号語の非ゼロ要素の数
ｄｆ−  トーンで衝突（collide）する符号語の最大数
λ  −  過負荷因子
ｌ  −  任意の２つの異なるコードブックの重複要素の数
【００２７】
通信システムパラメータの例示的値は、以下を含む。
【００２８】
【数１】
2018011354.tif 000003
【００２９】
一例のＳＣＭＡ通信システムの設計例は以下の通りである。
【００３０】
【数２】
2018011354.tif 000004
【００３１】
０≦ｌ≦１、Ｋ＝４ならば符号語がどちらも完全に直交し重なり合い(overlap)がない（ｌ＝０）か、又はただ１つの非ゼロ要素のみで衝突する（ｌ＝１）ことを意味する。その後、ＳＣＭＡコードブックの因子グラフは、次の形式となり得る。
【００３２】
【数３】
2018011354.tif 000005
【００３３】
例示的な一実施形態によると、通信システムの通信システムパラメータは、通信システムのアクセスモードが、他の通信システムのそれをエミュレートするように、設定され得る。例示的な一例として、ＳＣＭＡ通信システムは、通信システムパラメータＫが１に設定（Ｋ＝１）されるとともにＮが１に設定（Ｎ＝１）されるならば、直交周波数分割多重アクセス（ＯＦＤＭＡ）通信システムをエミュレートするように設定され得る。例示的な他の一例として、ＳＣＭＡ通信システムは、通信システムパラメータＮ及びＫが等しくなるように設定（Ｎ＝Ｋ）されるとともに、非ゼロ要素がコードブックにおいて許容されていない場合には、ＣＤＭＡ通信システムをエミュレートするように設定され得る。コードブックは、直行振幅変調（ＱＡＭ）シンボルを介してＣＤＭＡ拡散シグネチャとともに構成され得る。
【００３４】
図３ａおよび３ｂは、ＳＣＭＡ複雑性、多重化、スペクトル効率、及びリンクバジェットのトレードオフの例示プロットを示している。図３ｂに示されているように、所与のＮ及びＫに対し、多重化レイヤの数を制限することにより、複雑性は、キャップされ得る。そのようにするためのコストは、以下に論じられるように、より低い過負荷因子となり得る。
【００３５】
図４ａ、４ｂ、４ｃは、複雑性を制御するために過負荷がキャップされる場合のＳＣＭＡの例示プロットを示している。一例として、複雑性は重なる(overlaid)符号語の数を減少させることにより制限され得る。
【００３６】
例示的な実施形態によると、ＳＣＭＡ通信システムが、スムーズな切換機構を備えたシングル通信システムの下で異なるアプリケーションシナリオ及びアクセスモードをサポートするために、判断基準、例えば、スペクトル効率、有効範囲、検出複雑性、接続性、リンクバジェットなどの中で妥協する柔軟かつスケーラブルアクセス技術を実施するために使用される。前記実施は、アクセスモード判定基準、通信システム情報、及びＵＥ情報に従ってアクセスモードが選択されることにより達成され、選択されたアクセスモードは、マッピングルール及び選択されたアクセスモードに基づいてＳＣＭＡパラメータを設定することにより実施される。
【００３７】
例示的な実施形態によると、ＳＣＭＡ通信システムは、異なるアプリケーションシナリオ及び異なる受信カテゴリのためにアクセスモードを最適化する。アクセスモードの最適化は、ＳＣＭＡパラメータを調整することによりなされる。一例として、ＵＬ及びＤＬの双方ための所定のアクセスモードを有するアクセスモード適応機構は、アプリケーション、要求、ネットワーク状態、等のアクセスモード判定基準に従って、最適なアクセスモードを選択する。加えて、シグナリングサポートが異なるアクセスモード間を切り替えるために提供される。ＳＣＭＡ通信システムは、アクセスモード判定基準に従って、適応的に調整される。アクセスモード判定基準に応答して、アクセスモード及び／又はパラメータを切り替える低いシグナリングオーバーヘッドがある。
【００３８】
一般に、ＳＣＭＡ−ＯＦＤＭは、ＯＦＤＭＡ、ＬＤＳ−ＯＦＤＭ、ＵＬ ＭＵ−ＭＩＭＯ、及びＭＣ−ＣＤＭＡなどの既存のものを含む異なるアクセスモードを容易にできる柔軟な波形である。ＳＣＭＡ−ＯＦＤＭもまた、提案されている５Ｇ規格及び以降の期待される波形／アクセス技術である。アクセスモードは、個々の伝送、複数の伝送、シングル通信チャネル（アップリンク、ダウンリンク、又はアップリンク及びダウンリンク）、又は複数の通信チャネルに適用され得る。
【００３９】
図５は、一例の適応デバイス５００の上位レベルの考え方を示している。適応デバイス５００は、ＵＥ能力及びＵＥ要求を含み得るＵＥ判定基準ならびに、通信システム要求、及び通信システム能力を含み得るアクセスモード判定基準に基づいてアクセスモード/ＵＥ判定基準処理５０５を実行し得る。処理されたアクセスモード判定基準及び／又はＵＥ判定基準は、アクセスモード５１５を選択する適応フレームワーク５１０を提供し得る。アクセスモード判定基準及び／又はＵＥ判定基準の例としては、リンクバジェット、有効範囲、接続性、スループット、多重化ゲイン、処理能力、等を含み得る。適応フレームワーク５１０は、アクセスモード判定基準及び／又はＵＥ判定基準に合致するようにアクセスモードをエミュレートする通信システムパラメータ（Ｊ、Ｎ、Ｋ、ｄｆ、λ、多重化技術、等）の値を選択するのにマッピングルールを利用し得る。アクセスモードの例としては、ＯＦＤＭＡ、ＮＯＭＡ、シングルＵＥ ＳＣＭＡ（ＳＵ−ＳＣＭＡ）、マルチユーザＳＣＭＡ（ＭＵ−ＳＣＭＡ）、マルチキャリアＣＤＭＡ（ＭＣ−ＣＤＭＡ）、低密度シグネチャ（ＬＤＳ）、等を含み得る。
【００４０】
次の表１は、所定のダウンリンク（ＤＬ）マルチプルアクセスモードの例を示しており、Ｊは、シグネチャ／コードブックの最大数、Ｋは、拡散因子、Ｎ・Ｋは、各シグネチャ／符号語における非ゼロ要素の数である。
【００４１】
【表１】
2018011354.tif 000006
【００４２】
次の表２は、所定のアップリンク（ＵＬ）マルチプルアクセスモードの例を示しており、Ｊは、シグネチャ／コードブックの最大数、Ｋは、拡散因子、Ｎ・Ｋは、各シグネチャ／符号語における非ゼロ要素の数である。
【００４３】
【表２】
2018011354.tif 000007
【００４４】
図６ａは、通信システム（又はそれらの一部）のアクセスモードを適応的に調整する適応デバイスである適応デバイスにおいて生じている動作例６００のフローチャートを示している。動作６００は、通信システム（又はそれらの一部）のアクセスモードを適応的に調整する適応デバイスとして、スタンドアロン適応デバイス又は通信システムにおいてｅＮＢなどのネットワークデバイス内に配置された同じ場所に配置されている適応デバイスなどの適応デバイスにおいて生じている動作を示し得る。
【００４５】
動作６００は、適応デバイスが通信システム情報を受信することから始まり得る（ブロック６０５）。先に論じたように、通信システム情報は、アプリケーション、要求、ネットワーク状態、等に関する情報を含み得る。通信システム情報の例としては、通信システム要求、及び／又は通信システム能力などを含み得る。適応デバイスは、通信システム情報を、通信システムのコントローラ（複数可）又はｅＮＢ（複数可）、又はアクセスモード判定基準を維持する通信システムの他のネットワークエンティティから受信し得る。
【００４６】
適応デバイスは、ＵＥ情報を受信し得る（ブロック６０７）。ＵＥ情報の例としては、ＵＥ能力、ＵＥ要求などを含み得る。適応デバイスは、サービスするＵＥ（複数可）、通信システムにおけるＵＥ（複数可）、ＵＥ判定基準を維持する通信システムにおけるネットワークエンティティからＵＥ情報を受信し得る。
【００４７】
適応デバイスは、通信システムパラメータを受信し得る（ブロック６１０）通信システムパラメータは、Ｊ、Ｎ、Ｋ、ｄｆ、λ、多重化技術、等を含み得る。適応デバイスは、例えば、システムのスタートアップ時にそれに提供される通信システムパラメータのデフォルトバージョンを有し得、その後、それ（だけでなく潜在的な他の適応デバイス）が、通信システムパラメータを調整するように、適応デバイスは、通信システムパラメータの更新を受信（又は提供）し得る。適応の粒度（granularity）（例えば、通信システムワイド、ｅＮＢワイド、セルワイド、ｅＮＢ−to−ＵＥタイプワイド、ｅＮＢ−to−ＵＥペアリングワイド）に応じて、適応デバイスは、異なる粒度レベル及び関連するデバイスのための通信システムパラメータの異なるバージョンを格納し得る。
【００４８】
適応デバイスは、アクセスモード判定基準を受信し得る（ブロック６１２）。アクセスモード判定基準は、リンクバジェット、有効範囲、接続性、スループット、多重化ゲイン、処理能力、等を含み得る。例示的な実施形態によると、アクセスモード判定基準は、伝送（複数可）又は通信チャネルと関連し得る。アクセスモード判定基準は、シングル通信チャネルを介してシングル伝送と、シングル通信チャネルを介して複数の伝送と、複数の通信チャネルを介して複数の伝送と、シングル通信チャネル（ｅＮＢとＵＥ間のダウンリンク通信チャネル、又はＵＥとｅＮＢ間のアップリンク通信チャネルなど）と、又は複数の通信チャネル（ｅＮＢとＵＥ間のダウンリンク及びアップリンク通信チャネルの双方、ｅＮＢとＵＥのタイプ（又はグループ）間のアップリンク及び／又はダウンリンク通信チャネル、ｅＮＢのグループとＵＥのタイプ（又はグループ）間のアップリンク及び／又はダウンリンク通信チャネル、すべてのｅＮＢとＵＥのタイプ（又はグループ）間のアップリンク及び／又はダウンリンク通信チャネル、すべてのｅＮＢとすべてのＵＥ間のアップリンク及び／又はダウンリンク通信チャネルなど）と関連し得る。
【００４９】
適応デバイスは、マッピングルールを受信し得る（ブロック６１５）。マッピングルールは、通信システムパラメータ（複数可）、例えばＳＣＭＡパラメータ（複数可）、がアクセスモード判定基準、通信システム情報、及びＵＥ情報により、どのように影響を受けるかを指定し得る。マッピングルールは、ダウンリンク通信チャネル、アップリンク通信チャネル、又はダウンリンクとアップリンク通信チャネルの双方のための伝送に関連し得る。マッピングルールは、ＵＥの異なるタイプ又はグループによって異なり得る。マッピングルールは、１つのｅＮＢ又は複数のｅＮＢによって異なり得る。マッピングルールはまた、通信システムパラメータ（複数可）を変更する方法を指定され得、潜在的にはどれくらい変更するかにより指定され得る。例示的な一例として、パラメータＫは、ＳＣＭＡ能力を備えていないＵＥにより影響を与え得るが、パラメータＫ及びＪは、大規模な接続性状況における非常に多くのオーバーレイ伝送をサポートする必要性により影響を受け得る。次の表３は、マッピングルールの例を示している。
【００５０】
【表３】
2018011354.tif 000008
【００５１】
適応デバイスは、アクセスモード判定基準、通信システム情報、及びＵＥ情報に合致するように、マッピングルールに従ってアクセスモードを選択し得る（ブロック６２０）。適応デバイスは、アクセスモードを複数のアクセスモードの中から選択し得る。例示的な一例として、適応デバイスは、複数のアクセスモードのリストを有し得、適応デバイスは、複数のアクセスモードの中からアクセスモードを選択する。適応デバイスは、アクセスモード判定基準、通信システム情報、及びＵＥ情報を考慮することにより、複数のアクセスモードからアクセスモードを選択し得る。例示的な一例として、ＵＥがＳＣＭＡ能力を備えていないレガシーＵＥである場合には、適応デバイスは、ＯＦＤＭＡをアクセスモードとして選択し得る。同様に、ＵＥがＳＣＭＡ能力を有している場合には、適応デバイスは、リンクバジェット、有効範囲、等のアクセスモード判定基準を考慮してアクセスモードを選択し得る。アクセスモード選択技術の例の詳細な議論が以下で提示される。
【００５２】
適応デバイスは、マッピングルールに従って選択されたアクセスモードから、通信システムパラメータ、例えば、ＳＣＭＡパラメータを決定しうる（ブロック６２２）。適応デバイスは、表３に示されているようなマッピングルールの例のようなマッピングルールを使用し、選択されたアクセスモードから通信システムパラメータのための値を決定し得る。例示的な一例として、ＵＥの指定されたタイプのための選択されたアクセスモードがＵＥの有効範囲領域を増加させることである場合、パラメータＮが増加することは、処理及びＳＣＭＡコードブックの多次元ゲインを改善するため、適応デバイスは、表３に示されているマッピングルール＃７を使用し、パラメータＪを制限している間は、パラメータＮのみ、又はパラメータＮ及びＫの双方を増加し複雑性の影響を考慮し得る。
【００５３】
適応デバイスは、通信システムパラメータをシグナリングし得る（ブロック６２５）。適応デバイスは、通信システムパラメータを、アクセスモード変更により影響されるデバイスに送信し得る。例示的な一例として、アクセスモード変更が全体として通信システムのためである場合には、適応デバイスは、通信システムパラメータを通信システムにおけるｅＮＢに送信し得、通信システムパラメータをそれらがサーブするＵＥへ提供し得る。例示的な他の一例として、アクセスモード変更がｅＮＢのためである場合には、適応デバイスは、通信システムパラメータをｅＮＢへ送信し得、ｅＮＢは、通信システムパラメータをそれがサーブするＵＥへ提供し得る。例示的なさらに他の一例として、アクセスモード変更がシングルセル及びＵＥタイプのためである場合には、適応デバイスは、通信システムパラメータを前記セルと関連するｅＮＢへ送信し得、ｅＮＢは、同じＵＥタイプであるそれがサーブしているＵＥへ通信システムパラメータを提供し得る。例示的なさらに他の一例として、アクセスモード変更がシングルセル及びシングルＵＥのためである場合には、適応デバイスは、通信システムパラメータを前記セルに関連するｅＮＢへ送信し得、ｅＮＢは、通信システムパラメータをＵＥへ提供し得る。例示的な実施形態によると、所定の複数のアクセスモードがあってよく、適応デバイスは、インジケータ、例えば、選択されたアクセスモードに対応する数字を単に送信してもよい。
【００５４】
図６ｂは、ＵＥが通信するときのＵＥにおいて生じている動作６５０の例のフローチャート例である。動作６５０は、ＵＥが通信するときの、ＵＥ１１０、ＵＥ１１２、及びＵＥ１１４などのＵＥにおいて生じている動作を示している。
【００５５】
動作６５０は、ＵＥがＵＥ情報を送信することで開始され得る（ブロック６５５）。ＵＥは、ＵＥ能力及び／又は要求などを含んでいるＵＥ情報を送信し得る。ＵＥ情報は、ＵＥをサービングしているｅＮＢ、又はアクセスモード選択を実行している適応デバイスに送信され得る。ＵＥは、通信システムパラメータを受信し得る（ブロック６６０）。ＵＥは、アクセスモード選択を実行している、ｅＮＢ又は適応デバイスから通信システムパラメータを受信し得る。通信システムパラメータは、ＵＥだけでなくアクセスモード選択により影響をうける他のデバイスにも送信され得る。例示的な実施形態によると、所定の複数のアクセスモードがあり得、ＵＥは、インジケータ、例えば、選択されたアクセスモードに対応する数字を受信し得る。ＵＥは、通信システムパラメータを使用して通信し得る（ブロック６６５）。
【００５６】
図７は、ダウンリンクアクセスモード選択のためのマッピングルール７００の例示的なグラフィック表示を示している。図７に示されているマッピングルール７００の表現は、ダウンリンクのためのアクセスモードの選択をグラフ表示し得る。適応デバイスは、ＵＥ（複数可）がレガシーＵＥであるか、又は、ＳＣＭＡがサポートされていなければ、ダウンリンクのためにＯＦＤＭＡ７０５を選択し得る。その後、有効範囲及び／又はリンクバジェットの増加が、アクセスモード判定基準である場合には、適応デバイスは、ＭＣ−ＣＤＭＡ７１０を選択し得る。容量の増加がアクセスモード判定基準であり、ＵＥ（複数可）が連続的な干渉除去能力を備えている場合には、適応デバイスは、ＤＬ−ＮＯＭＡ７１５を選択し得る。
【００５７】
ＵＥ（複数可）及びｅＮＢ（複数可）がＳＣＭＡ能力を有している場合には、適応デバイスはＳＣＭＡ７２０を選択し得る。その後、リンクバジェット及び有効範囲の改善アクセスモード判定基準である場合には、適応デバイスは、モード１ ＳＣＭＡ７２５を選択し得る。干渉ホワイト化（interference whitening）及びより良い容量のためのマルチユーザペアリングがアクセスモード判定基準である場合には、適応デバイスは、モード２ ＳＣＭＡ７３０を選択でき、大量接続のためのスケジューリングフリーの小さいパケット伝送がアクセスモード判定基準である場合には、適応デバイスは、モード３ ＳＣＭＡ７３５を選択し得る。
【００５８】
図８は、アップリンクアクセスモード選択のためのマッピングルール８００の例示的なグラフィック表示を示している。図８に示されているマッピングルール８００の表現は、アップリンクのためのアクセスモードの選択をグラフ表示し得る。適応デバイスは、ＵＥ（複数可）がレガシーＵＥであるか、又は、ＳＣＭＡがｅＮＢ（複数可）でサポートされていなければ、アップリンクのためにＯＦＤＭＡ又はＳＣ−ＦＤＭＡ８０５を選択し得る。その後、中度の接続性でのランダムアクセスか、又はｅＮＢがＳＩＣ受信を有しているならば容量拡張であるならば、適応デバイスは、ＵＬ−ＮＯＭＡ８１０を選択し得る。有効範囲及び／又はリンクバジェットの増加がアクセスモード判定基準である場合には、適応デバイスは、ＭＣ−ＣＤＭＡ８１５を選択し得る。
【００５９】
適応デバイスは、ＵＥ（複数可）及びｅＮＢ（複数可）がＳＣＭＡ能力を有している場合には、ＳＣＭＡ８２０を選択し得る。その後、リンクバジェット及び有効範囲の増加がアクセスモード判定基準であるならば、適応デバイスは、モード１ ＳＣＭＡ８２５を選択し得る。干渉ホワイト化及びよりよい容量のためのマルチユーザペアリングがアクセスモード判定基準である場合には、適応デバイスは、モード２ ＳＣＭＡ８３０を選択でき、大量接続のためのスケジューリングフリーの小さいパケット伝送がアクセスモード判定基準である場合には、適応デバイスは、モード３ ＳＣＭＡ８３５を選択し得る。
【００６０】
図９は、第１通信デバイス９００の例を示している。通信デバイス９００は、スタンドアロンデバイス、又はｅＮＢ内に配置された同じ場所に配置されているデバイス、通信コントローラ、基地局、コントローラ、などの適応デバイスの実装であり得る。通信デバイス９００は、本明細書で論じられたさまざまな実施形態の１つを実装するために使用され得る。図９に示されているように、トランスミッタ９０５は、パケット、通信システムパラメータ、等を送信するように構成されている。通信デバイス９００は、パケット、アクセスモード判定基準、通信システムパラメータ、マッピングルール、等を受信するように構成されているレシーバ９１０も含む。
【００６１】
判断基準処理ユニット９２０は、アクセスモード判定基準、及び通信システム要求、通信システム能力、リンクバジェット、有効範囲、接続性、スループット、多重化ゲインなどのような通信システム情報を処理し、アクセスモードを適応するのを助けるように構成されている。判断基準処理ユニット９２０は、ＵＥ情報を処理し、アクセスモードを適応するのを助けるように構成されている。パラメータ処理ユニット９２２は、処理されたアクセスモード判定基準、通信システム情報、ＵＥ情報、及び通信システムパラメータを受信し、前記アクセスモード判定基準、通信システム情報、及びＵＥ情報に従って、アクセスモードを選択するように構成されている。パラメータ処理ユニット９２２は、マッピングルールと前記選択されたアクセスモードに従って、通信システムパラメータを設定するように構成されている。メモリ９３０は、パケット、アクセスモード判定基準、通信システム情報、ＵＥ情報、通信システムパラメータ、マッピングルール、等を格納するように構成されている。
【００６２】
通信デバイス９００の要素は、特定のハードウェア論理ブロックとして実装され得る。代替案では、通信デバイス９００の要素は、プロセッサ、コントローラ、特定用途向けＩＣ、などにおいて実行するソフトウェアとして実装され得る。さらに別の代替案では、通信デバイス９００の要素は、ソフトウェア及び／又はハードウェアの組み合わせとして実装され得る。
【００６３】
一例として、レシーバ９１０及びトランスミッタ９０５は、特定のハードウェアブロックとして実装され得るが、判断基準処理ユニット９２０及びパラメータ処理ユニット９２２は、マイクロプロセッサ（プロセッサ９１５などの）又はカスタム回路又はフィールドプログラマブル論理アレイのカスタムコンパイルされた論理アレイにおいて実行するソフトウェアモジュールであってもよい。判断基準処理ユニット９２０及びパラメータ処理ユニット９２２は、メモリ９３０に格納されたモジュールであり得る。
【００６４】
図１０は、第２通信デバイス１０００の例を示している。通信デバイス１０００は、ユーザ装置、ｅＮＢ、等の受信デバイスの実装であり得る。通信デバイス１０００は、本明細書で論じられたさまざまな実施形態の１つを実装するために使用され得る。図１０に示されているように、トランスミッタ１００５は、パケット、アクセスモード判定基準、マッピングルール、等を送信するように構成されている。通信デバイス１０００は、パケット、通信システムパラメータなどを受信するように構成されているレシーバ１０１０も含む。
【００６５】
判断基準処理ユニット１０２０は、アクセスモード判定基準、及び通信システム要求、通信システム能力、リンクバジェット、有効範囲、接続性、スループット、多重化ゲインなどの通信システム情報、及びＵＥ能力、ＵＥ要求などのＵＥ情報を処理し、アクセスモードを適応するのを助けるように構成されている。パラメータ処理ユニット１０２２は、アクセスモードに関連する通信システムパラメータなどの情報を受信するように構成されている。メモリ１０３０は、パケット、アクセスモード判定基準、通信システム情報、ＵＥ情報、通信システムパラメータなどを格納するように構成されている。
【００６６】
通信デバイス１０００の要素は、特定のハードウェア論理ブロックとして実装され得る。代替案において、通信デバイス１０００の要素は、プロセッサ、コントローラ、特定用途向けＩＣなどにおいて実行されるソフトウェアとして実装されてもよい。さらに別の代替案において、通信デバイス１０００の要素は、ソフトウェア及び／又はハードウェアの組み合わせとして実装され得る。
【００６７】
一例として、レシーバ１０１０及びトランスミッタ１００５は、特定のハードウェアブロックとして実装され得るが、判断基準処理ユニット１０２０及びパラメータ処理ユニット１０２２は、マイクロプロセッサ（プロセッサ１０１５などの）又はカスタム回路又はフィールドプログラマブル論理アレイのカスタムコンパイルされた論理アレイにおいて実行するソフトウェアモジュールでありうる。判断基準処理ユニット１０２０及びパラメータ処理ユニット１０２２は、メモリ１０３０に格納されたモジュールであり得る。
【００６８】
本開示及びその利点を詳細に説明してきたが、様々な変更、置換、及び改造が添付の特許請求の範囲により定義される本開示の精神と範囲を逸脱することなくなされ得ることを理解すべきである。
【符号の説明】
【００６９】
１２０    適用デバイス
５１０    適応フレームワーク
５１５    適応アクセスモード
９０５    トランスミッタ
９１０    レシーバ
９２０    判断基準処理ユニット
９２２    パラメータ処理ユニット
９３０    メモリ
１００５  トランスミッタ
１０１０  レシーバ
１０２０  判断基準処理ユニット
１０２２  パラメータ処理ユニット
１０３０  メモリ
【図１】
2018011354.tif 000009
【図２】
2018011354.tif 000010
【図３ａ】
2018011354.tif 000011
【図３ｂ】
2018011354.tif 000012
【図４ａ】
2018011354.tif 000013
【図４ｂ】
2018011354.tif 000014
【図４ｃ】
2018011354.tif 000015
【図５】
2018011354.tif 000016
【図６ａ】
2018011354.tif 000017
【図６ｂ】
2018011354.tif 000018
【図７】
2018011354.tif 000019
【図８】
2018011354.tif 000020
【図９】
2018011354.tif 000021
【図１０】
2018011354.tif 000022
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ネットワークデバイスを動作させる方法であって、前記方法は、
前記ネットワークデバイスにより、第１デバイスとの通信のための複数の所定の多重アクセスモードの中から第１多重アクセスモードを選択するステップであって、前記複数の所定の多重アクセスモードは、少なくとも非直交多重アクセスモードを含む、ステップと、
前記ネットワークデバイスにより、前記第１デバイスに、前記第１多重アクセスモードに関する情報を送信するステップと、
を具備することを特徴とするネットワークデバイスを動作させる方法。
【請求項２】
前記第１多重アクセスモードに関する情報を送信するステップは、前記第１多重アクセスモードに関連する少なくとも１つのパラメータを前記第１デバイスに送信するステップであって、前記少なくとも１つのパラメータは、Ｋ、Ｊ、およびＮの少なくとも１つを含み、Ｋは、拡散因子であり、Ｊは、シグネチャの数であり、Ｎは、各シグネチャにおける非ゼロ要素の数である、ステップを具備することを特徴とする請求項１に記載の方法。
【請求項３】
送信される前記情報は、前記第１多重アクセスモードのインジケータを具備することを特徴とする請求項１又は２に記載の方法。
【請求項４】
前記ネットワークデバイスにより、前記第１デバイスのユーザ装置情報を受信するステップであって、前記ユーザ装置情報は、ユーザ装置要求とユーザ装置能力の少なくとも１つを含み、前記第１多重アクセスモードは前記ユーザ装置情報に基づいて選択される、ステップと、
をさらに具備することを特徴とする請求項１から３のいずれか一項に記載の方法。
【請求項５】
前記複数の所定の多重アクセスモードは、複数のアップリンク多重アクセスモードを具備し、前記非直交多重アクセスモードは、前記ネットワークデバイスと前記第１デバイスとの間のアップリンク通信のためのアップリンク非直交多重アクセスモードを具備することを特徴とする請求項１から４のいずれか一項に記載の方法。
【請求項６】
前記複数の所定の多重アクセスモードは、直交周波数分割多重アクセスモード、スパース符号語多重アクセスモード、符号分割多重アクセスモード、及び低密度シグネチャモードの少なくとも１つをさらに具備することを特徴とする請求項１から５のいずれか一項に記載の方法。
【請求項７】
第１多重アクセスモードに関する情報を送信するステップは、準静的メッセージングと動的メッセージングの１つを使用して前記情報を送信するステップを具備することを特徴とする請求項１から６のいずれか一項に記載の方法。
【請求項８】
前記パラメータは、マッピングルールにより前記第１多重アクセスモードに関連付けられていることを特徴とする請求項１から７のいずれか一項に記載の方法。
【請求項９】
前記第１デバイスは、ユーザ装置を具備し、前記ネットワークデバイスは、基地局を具備することを特徴とする請求項１から８のいずれか一項に記載の方法。
【請求項１０】
第１デバイスのための方法であって、前記方法は、
前記第１デバイスにより、前記第１デバイスとネットワークデバイスとの間の通信のための第１多重アクセスモードに関する情報を受信するステップであって、前記第１多重アクセスモードは、複数の所定の多重アクセスモードからの選択であり、前記複数の所定の多重アクセスモードは、少なくとも非直交多重アクセスモードを含む、ステップと、
前記第１デバイスにより、前記第１多重アクセスモードに従って、前記ネットワークデバイスと通信するステップと、
を具備することを特徴とする第１デバイスのための方法。
【請求項１１】
前記ネットワークデバイスと通信するステップは、前記第１多重アクセスモードに関連する少なくとも１つのパラメータを使用して通信するステップを具備し、前記少なくとも１つのパラメータは、Ｋ、Ｊ、およびＮの少なくとも１つを含み、Ｋは、拡散因子であり、Ｊは、シグネチャの数であり、Ｎは、各シグネチャにおける非ゼロ要素の数である、ステップを具備することを特徴とする請求項１０に記載の方法。
【請求項１２】
受信される前記情報は、前記第１多重アクセスモード又は第１多重アクセスモードのインジケータに関連する少なくとも１つのパラメータを具備することを特徴とする請求項１０又は１１に記載の方法。
【請求項１３】
前記第１デバイスにより、ユーザ装置情報を前記ネットワークデバイスに送信するステップであって、前記ユーザ装置情報は、ユーザ装置要求とユーザ装置能力の少なくとも１つを具備し、前記第１多重アクセスモードは前記ユーザ装置情報に基づく選択である、ステップ、をさらに具備することを特徴とする請求項１０から１２のいずれか一項に記載の方法。
【請求項１４】
前記複数の所定の多重アクセスモードは、複数のアップリンク多重アクセスモードを具備し、前記非直交多重アクセスモードは、前記第１デバイスと前記ネットワークデバイスとの間のアップリンク通信のためのアップリンク非直交多重アクセスモードを具備することを特徴とする請求項１０から１３のいずれか一項に記載の方法。
【請求項１５】
前記複数の所定の多重アクセスモードは、直交周波数分割多重アクセスモード、スパース符号語多重アクセスモード、符号分割多重アクセスモード、及び低密度シグネチャモードの少なくとも１つをさらに具備することを特徴とする請求項１０から１４のいずれか一項に記載の方法。
【請求項１６】
第１多重アクセスモードに関する情報を受信するステップは、準静的メッセージングと動的メッセージングの１つを使用して前記情報を受信するステップを具備することを特徴とする請求項１０から１５のいずれか一項に記載の方法。
【請求項１７】
前記パラメータは、マッピングルールにより前記第１多重アクセスモードに関連付けられていることを特徴とする請求項１０から１６のいずれか一項に記載の方法。
【請求項１８】
前記第１デバイスは、ユーザ装置を具備し、前記ネットワークデバイスは、基地局を具備することを特徴とする請求項１０から１７のいずれか一項に記載の方法。
【請求項１９】
ネットワークデバイスであって、
第１デバイスとの通信のための複数の所定の多重アクセスモードの中から第１多重アクセスモードを選択するように構成されたプロセッサであって、前記複数の所定の多重アクセスモードは、少なくとも非直交多重アクセスモードを含む、プロセッサと、
前記プロセッサに動作可能に接続されるとともに、前記第１デバイスに前記第１多重アクセスモードに関する情報を送信するように構成された送信機と、
を具備することを特徴とするネットワークデバイス。
【請求項２０】
前記第１多重アクセスモードに関する情報は、前記第１デバイスへの前記第１多重アクセスモードに関連する少なくとも１つのパラメータを具備し、前記少なくとも１つのパラメータは、Ｋ、Ｊ、およびＮの少なくとも１つを含み、Ｋは、拡散因子であり、Ｊは、シグネチャの数であり、Ｎは、各シグネチャにおける非ゼロ要素の数であることを特徴とする請求項１９に記載のネットワークデバイス。
【請求項２１】
前記プロセッサに動作可能に接続されるとともに、前記第１デバイスからユーザ装置情報を受信するように構成された受信機であって、前記ユーザ装置情報は、ユーザ装置要求とユーザ装置能力の少なくとも１つを含み、前記第１多重アクセスモードは前記ユーザ装置情報に基づいて選択される、受信機、をさらに具備することを特徴とする請求項１９又は２０に記載のネットワークデバイス。
【請求項２２】
前記複数の所定の多重アクセスモードは、直交周波数分割多重アクセスモード、スパース符号語多重アクセスモード、符号分割多重アクセスモード、及び低密度シグネチャモードの少なくとも１つをさらに具備することを特徴とする請求項１９から２１のいずれか一項に記載のネットワークデバイス。
【請求項２３】
第１デバイスであって、
前記第１デバイスとネットワークデバイスとの間の通信のための第１多重アクセスモードに関する情報を受信するように構成された受信機であって、前記第１多重アクセスモードは、複数の所定の多重アクセスモードからの選択であり、前記複数の所定の多重アクセスモードは、少なくとも非直交多重アクセスモードを含む、受信機と、
前記受信機と動作可能に接続されるとともに、前記第１多重アクセスモードに従って、前記ネットワークデバイスと通信するように構成されたプロセッサと、
を具備することを特徴とする第１デバイス。
【請求項２４】
前記プロセッサは、前記第１多重アクセスモードに関連する少なくとも１つのパラメータを使用して前記ネットワークデバイスと通信するように構成されており、前記少なくとも１つのパラメータは、Ｋ、Ｊ、およびＮの少なくとも１つを含み、Ｋは、拡散因子であり、Ｊは、シグネチャの数であり、Ｎは、各シグネチャにおける非ゼロ要素の数であることを特徴とする請求項２３に記載の第１デバイス。
【請求項２５】
受信される前記情報は、前記第１多重アクセスモード又は第１多重アクセスモードのインジケータに関連する少なくとも１つのパラメータを具備することを特徴とする請求項２３又は２４に記載の第１デバイス。
【請求項２６】
前記プロセッサに動作可能に接続されるとともに、前記ネットワークデバイスへユーザ装置情報を送信するように構成された送信機であって、前記ユーザ装置情報は、ユーザ装置要求とユーザ装置能力の少なくとも１つを具備し、前記第１多重アクセスモードは前記ユーザ装置情報に基づく選択である、送信機、をさらに具備することを特徴とする請求項２３から２５のいずれか一項に記載の第１デバイス。
【請求項２７】
前記複数の所定の多重アクセスモードは、直交周波数分割多重アクセスモード、スパース符号語多重アクセスモード、符号分割多重アクセスモード、及び低密度シグネチャモードの少なくとも１つをさらに具備することを特徴とする請求項２３から２６のいずれか一項に記載の第１デバイス。
【外国語明細書】
2018011354000001.pdf